(57)【特許請求の範囲】
【請求項１】
基板上の給電部からの給電により空中に所定波長に基づいた電波を放射する導電性のワイヤで構成されたアンテナであって、
上記給電部からの給電による動作に基づいた、
第１の動作領域を構成する第１のアンテナ部と、
第２の動作領域を構成する第２のアンテナ部とを備え、
上記波長に対して電気長が略１／４波長であって、
上記第１のアンテナ部は上記給電部による上記基板上の給電点から略１／８波長部分までをヘリカルアンテナとし、
上記第２のアンテナ部は上記給電点の略１／８波長部分から開放端部までを伸延した直線部分または曲線部分を有する伸延アンテナとし、
上記伸延アンテナと対向する上記基板の裏側の面にアース板を配置したことを特徴とするアンテナ。
【請求項２】
請求項１記載のアンテナにおいて、
上記ヘリカルアンテナは下部の上記給電点から上部まで上記基板面に対して垂直に立ち上げるようにして設け、
上記ヘリカルアンテナの上部に連続して、上記給電点の略１／８波長部分から開放端部までの上記伸延アンテナを構成する面は上記基板面に対して所定の空間を有するように設けることを特徴とするアンテナ。
【請求項３】
請求項１記載のアンテナにおいて、
上記伸延アンテナは少なくとも接触または交差しない直線部および折り曲げ部を有する屈曲アンテナとし、
上記ヘリカルアンテナの上部を上記基板面に対して所定間隔を有するように設けることにより、上記ヘリカルアンテナの下部は上記基板面の上記給電点に対して弾性的に固定されることを特徴とするアンテナ。
【請求項４】
基板上の給電部からの給電により空中に所定波長に基づいた電波を放射する導電性のワイヤで構成されたアンテナを設けた携帯端末装置であって、
上記給電部からの給電による動作に基づいた、
第１の動作領域を構成する第１のアンテナ部と、
第２の動作領域を構成する第２のアンテナ部と
を備え、
上記波長に対して電気長が略１／４波長であって、
上記第１のアンテナ部は上記給電部による上記基板上の給電点から略１／８波長部分までをヘリカルアンテナとし、
上記第２のアンテナ部は上記給電点の略１／８波長部分から開放端部までを伸延した直線部分または曲線部分を有する伸延アンテナとし、
上記伸延アンテナと対向する上記基板の裏側の面にアース板を配置したことを特徴とする携帯端末装置。
【請求項５】
請求項４記載の携帯端末装置において、
上記ヘリカルアンテナは下部の上記給電点から上部まで上記基板面に対して垂直に立ち上げるようにして設け、
上記ヘリカルアンテナの上部に連続して、上記給電点の略１／８波長部分から開放端部までの上記伸延アンテナを構成する面は上記基板面に対して所定の空間を有するように設ける
ことを特徴とする携帯端末装置。
【発明の詳細な説明】
【０００１】
【発明の属する技術分野】
本発明は、例えば、携帯電話に使用して好適なアンテナおよび携帯端末装置に関するものである。
【０００２】
【従来の技術】
携帯電話では、使用時に筐体から引き出し可能で、不使用時に筐体に収納可能なホイップアンテナと、受信専用の内蔵アンテナを備えていた。ホイップアンテナとしてはモノポールアンテナ、内蔵アンテナとしては逆Ｆアンテナが用いられていた。また、逆Ｆアンテナはモノポールアンテナを板状にして地板（アース板）に平行に折り曲げることにより筐体に内蔵を可能としていた。
【０００３】
図１０は従来の内蔵アンテナの構成を示す図である。図１０に示すヘリカルアンテナ１０３は下側ケース１００側（人体に接触する側と反対側）から内部を見た図である。図１０において、基板１０１面上のほとんどはシールドケース１０２で覆われ、シールドケース１０２で覆われていない上部の基板面上にヘリカルアンテナ１０３を横置きにして、給電点と開放端部とを基板１０１上に固定して設けている。
【０００４】
【発明が解決しようとする課題】
しかし、上述した従来のホイップアンテナは筐体を地板として利用しているため、搭載される周辺の影響を受けやすくなるという不都合があった。また、逆Ｆアンテナは板状であるため筐体内のスペースを大幅に占有するという不都合があった。
【０００５】
また、図１０に示す従来の内蔵アンテナでは、ヘリカルアンテナ１０３を基板１０１上に横置きにしているので、基板上のアンテナの実装面積が大きいため、基板上の他の部品の実装面積が小さくなり、しかも、ヘリカルアンテナ１０３を基板１０１上に横置きにして開放端部を基板上に固定しているので基板の裏面が使えず、開放端部と人体との間に地板を配置するスペースがないため、人体の影響を受けやすいという不都合があった。
【０００６】
また、内蔵アンテナとしてマイクロストリップアンテナ等のチップアンテナを用いることを考えた場合、小型化を図ることができるため占有スペースが小さいが、チップ全体を基板上に実装するため、基板の他の部品の実装面積が狭くなり、しかも、開放端部と人体との間に地板を配置できないため、人体の影響を受けやすいという不都合があった。
【０００７】
そこで、本発明は、かかる点に鑑みてなされたものであり、１／４波長のアンテナの給電点から１／８波長部分までのヘリカルアンテナと１／８波長部分から開放端部までの屈曲アンテナとを用いて、基板上のアンテナの実装面積を小さくし、しかも、人体接近時の影響を少なくするアンテナおよび携帯端末装置を提供することを課題とする。
【０００８】
【課題を解決するための手段】
本発明のアンテナは、基板上の給電部からの給電により空中に所定波長に基づいた電波を放射する導電性のワイヤで構成されたアンテナであって、上記給電部からの給電による動作に基づいた、第１の動作領域を構成する第１のアンテナ部と、第２の動作領域を構成する第２のアンテナ部とを備え、上記波長に対して電気長が略１／４波長であって、上記第１のアンテナ部は上記給電部による上記基板上の給電点から略１／８波長部分までをヘリカルアンテナとし、上記第２のアンテナ部は上記給電点の略１／８波長部分から開放端部までを伸延した直線部分または曲線部分を有する伸延アンテナとし、上記伸延アンテナと対向する上記基板の裏側の面にアース板を配置したものである。
【０００９】
また、本発明の携帯端末装置は、基板上の給電部からの給電により空中に所定波長に基づいた電波を放射する導電性のワイヤで構成されたアンテナを設けた携帯端末装置であって、上記給電部からの給電による動作に基づいた、第１の動作領域を構成する第１のアンテナ部と、第２の動作領域を構成する第２のアンテナ部とを備え、上記波長に対して電気長が略１／４波長であって、上記第１のアンテナ部は上記給電部による上記基板上の給電点から略１／８波長部分までをヘリカルアンテナとし、上記第２のアンテナ部は上記給電点の略１／８波長部分から開放端部までを伸延した直線部分または曲線部分を有する伸延アンテナとし、上記伸延アンテナと対向する上記基板の裏側の面にアース板を配置したものである。
【００１０】
従って本発明によれば、以下の作用をする。
給電点で第１のアンテナ部のヘリカルアンテナの一端に給電部から所定のサイン波形またはコサイン波形の電流および電圧が供給される。第１のアンテナ部のヘリカルアンテナは給電点から１／８波長（λ）の部分まで設けられ、１／８波長（λ）の部分から開放端まで第２のアンテナ部の屈曲アンテナが設けられる。
【００１１】
従って、第１のアンテナ部のヘリカルアンテナと第２のアンテナ部の屈曲アンテナとで構成されるアンテナの１／４波長（λ）に対して、第１のアンテナ部のヘリカルアンテナに相当する給電点から１／８波長（λ）の部分までは電流の値が大きく動作するため電流支配領域となり、第２のアンテナ部の屈曲アンテナに相当する１／８波長（λ）の部分から開放端までは電圧の値が大きく動作するため電荷（電圧）支配領域となる。
【００１２】
ここで、第２のアンテナ部の屈曲アンテナに相当する１／８波長（λ）の部分から開放端までは電圧の値が大きく動作する電荷（電圧）支配領域となるので、第２のアンテナ部の屈曲アンテナに対向して開放端を覆うように、基板の裏面上にアース板（地板）を配置している。
【００１３】
一般に、入力インピーダンスは、１／８波長（λ）から開放端に近い側の電荷（電圧）支配領域部分に人体などが近づくと、電荷の値が大きいため、電界の乱れにより大きく影響を受けやすいが、１／８波長（λ）から給電点側の電流支配領域に、人体が近づいても余り入力インピーダンスは影響を受けない。
【００１４】
そこで、電荷（電圧）支配領域に相当する第２のアンテナ部の屈曲アンテナをなるべく人体から離れるように下側ケース側の基板の上側で、しかも指で持たれることがほとんどない位置に配置した。
【００１５】
また、人体の耳が接触することが多い上側ケースのスピーカ側と第２のアンテナ部の屈曲アンテナとの間の上側ケース側の基板上にアース板を設け、電荷（電圧）支配領域の電界を強制的にアース板に結合させ、電界の安定化を図っている。
【００１６】
また、基板面に垂直に第１のアンテナ部のヘリカルアンテナを配置し、基板面から所定の距離を有するように所定の直線部及び屈曲部を有する第２のアンテナ部の屈曲アンテナを配置したので、第１のアンテナ部のヘリカルアンテナの実装部分以外が他の部品の実装可能部となる。このようにして、下側ケース側の基板面における基板の実装可能面積を拡大することができる。
【００１７】
また、上側ケース側の基板の上面には給電点のみが設けられるので、給電点を除く部分が他の部品の実装可能部となる。このようにして、上側ケース側の基板面における基板の実装可能面積を拡大することができる。
【００１８】
また、基板の給電点の下部から基板に垂直に立ち上げられた第１のアンテナ部のヘリカルアンテナの上部までの距離を大きくすることで、基板に対して配置する際に、第１のアンテナ部のヘリカルアンテナの下部を給電点に対して弾性的に固定接触することができる。
【００１９】
【発明の実施の形態】
本実施の形態のアンテナおよび携帯端末装置は、１／４波長のアンテナの給電点から１／８波長部分までのヘリカルアンテナと１／８波長部分から開放端部までの屈曲アンテナとを用いて、基板上の実装面積を小さくし、しかも、人体接近時の影響を少なくするものである。
【００２０】
図１は、本実施の形態の携帯端末装置の外観斜視図である。
図１において、携帯端末装置１は、上側ケース２と下側ケース３とを合わせるように構成されている。上側ケース２は、上部に受信音を出力するスピーカ５を有し、中央部に電話番号等の表示を行う表示部６を有し、下部に電話番号等の入力を可能とする入力キー７および音声入力による通話を可能とするマイクロフォン８を有している。下側ケース３は、上部にホイップアンテナ４を有している。
【００２１】
図２は、本実施の形態の携帯端末装置の内部構成を示す分解斜視図である。
図２において、携帯端末装置１は、上側ケース２を下にして、下側ケース３を開けると、上側ケース２の内部に通信のための所定の電気回路が配設された基板１０が配置されている。基板１０の上部および下部を除く面上は電気回路を保護するためアース皮膜が塗布されたシールドケース１１で覆われている。
【００２２】
基板１０の上部のシールドケース１１から露出した部分には、内部アンテナ１２が設けられている。内部アンテナ１２は、ヘリカルアンテナ１３と屈曲アンテナ１４とを有して構成される。ヘリカルアンテナ１３は基板面上に垂直に設けられていて、ヘリカルアンテナ１３の上部は屈曲アンテナ１４に連続していて、屈曲アンテナ１４は支持体１５により基板１０面上から離れるようにして支持されている。
【００２３】
図３は、本実施の形態の携帯端末装置の構成を示す側面図である。
図３Ａは外観を示し、図３Ｂは内部を示す。図３Ａで示す下側ケース３側の基板１０面にはシールドケース１１から露出している上側に、図３Ｂで示すヘリカルアンテナ１３が基板面に対して垂直に立ち上げられていて、ヘリカルアンテナ１３の上部は屈曲アンテナ１４に連続していて、屈曲アンテナ１４が作る面は基板面と所定の距離を有するように構成されている。また、ここで、上側ケース２側の基板１０面の屈曲アンテナ１４が作る面と対向する部分にはアース板２０が配置されている。アース板２０は、屈曲アンテナ１４の開放端部で生じる電界を人体の手前で結合させて、人体の影響を受け難くする働きをする。
【００２４】
図４は、本実施の形態のアンテナの構成を示す一部拡大斜視図である。
図４において、基板１０面のシールドケース１１から露出している基板先端部分に、ヘリカルアンテナ１３が下部の基板面の給電点２１から上部まで基板面に対して垂直に立ち上げられている。
【００２５】
ヘリカルアンテナ１３の上部は屈曲アンテナ１４の基板幅方向（右側）の第１の直線部に連続していて、屈曲アンテナ１４は第１の直線部から基板中央側（シールドケース１１側）へ第１の屈曲をしてから第２の直線部を有し、さらに基板幅方向（右側）に第２の屈曲してから第３の直線部を有し、さらに基板先端側へ第３の屈曲してから第４の直線部を有し、さらに基板幅方向（左側）に第４の屈曲してから第５の直線部を有する。
【００２６】
また、さらに、屈曲アンテナ１４は基板幅方向（左側）の第５の直線部から基板先端側へ第５の屈曲をしてから第６の直線部を有し、さらに基板幅方向（右側）に第６の屈曲してから第７の直線部を有し、さらに基板先端側へ第７の屈曲してから第８の直線部を有し、さらに基板幅方向（左側）に第８の屈曲してから第９の直線部を有する。
【００２７】
このような第１〜第９の直線部および第１〜第８の屈曲は基板１０およびシールドケース１１の面上に設けられた支持体１５によって方向および長さが支持されている。なお、この支持体１５によって屈曲アンテナ１４が構成する面が基板面と所定の空間を有するように支持される。また、屈曲アンテナ１４が構成する面と対向してさらに屈曲アンテナ１４の開放端２２を覆う基板面の裏側にアース板２０が設けられている。アース板２０は、屈曲アンテナ１４の開放端２２で生じる電界を人体の手前で結合させて、人体の影響を受け難くする働きをする。
【００２８】
次に、本実施の形態のアンテナの動作を説明する。
図５は、本実施の形態のアンテナの動作を示す図である。なお、本実施の形態のヘリカルアンテナ１３と屈曲アンテナ１４とで構成されるアンテナ１２は電気長が１／４波長（λ）のアンテナである。
【００２９】
図５において、給電点２１でヘリカルアンテナ１３の一端に給電部２３から所定のサイン波形またはコサイン波形の電流Ｉおよび電圧Ｖが供給される。ヘリカルアンテナ１３は給電点２１から１／８波長（λ）の部分まで設けられ、１／８波長（λ）の部分から開放端２２まで屈曲アンテナ１４が設けられる。
【００３０】
ここで、給電点２１に対して、本実施の形態のヘリカルアンテナ１３と屈曲アンテナ１４とで構成されるアンテナ１２の１／４波長（λ）の長さを折り返した、１／２波長（λ）のダイポールアンテナを考えた場合、アンテナに生じる電流Ｉおよび電圧Ｖは図５に示すようになる。つまり、縦方向のアンテナに対して横方向に大きさを示した場合、電流Ｉは両ダイポールアンテナの端部でゼロで給電点２１でプラスの最大となり、電圧Ｖは両ダイポールアンテナの端部でマイナスの最大またはプラスの最大となり給電点２１でゼロとなる。
【００３１】
従って、本実施の形態のヘリカルアンテナ１３と屈曲アンテナ１４とで構成されるアンテナ１２の１／４波長（λ）に対して、ヘリカルアンテナ１３に相当する給電点２１から１／８波長（λ）の部分までは電流Ｉの値が大きく動作するため電流支配領域３０となり、屈曲アンテナ１４に相当する１／８波長（λ）の部分から開放端２２までは電圧Ｖの値が大きく動作するため電荷（電圧）支配領域３１となる。
【００３２】
図６は、本実施の形態の基板上のアンテナの動作を示す図である。また、図７は、本実施の形態の使用状態を示す図である。
図６において、基板１０上に配置されたヘリカルアンテナ１３に相当する給電点２１から１／８波長（λ）の部分までは電流Ｉの値が大きく動作するため電流支配領域３０となり、屈曲アンテナ１４に相当する１／８波長（λ）の部分から開放端２２までは電圧Ｖの値が大きく動作するため電荷（電圧）支配領域３１となる。ここで、屈曲アンテナ１４に対向して開放端２２を覆うように、基板１０の裏面上にアース板２０を配置している。
【００３３】
上述したように、給電点２１から１／８波長（λ）を境に、給電点２１に近い側は電流Ｉが支配的な領域となり、開放端２２に近い側が電荷が支配的な領域となる。ここで、一般に、入力インピーダンスは、１／８波長（λ）から開放端２２に近い側の電荷（電圧）支配領域３１部分に人体などが近づくと、電荷の値が大きいため、電界の乱れにより大きく影響を受けやすい。また、１／８波長（λ）から給電点２１側の電流支配領域３０に、人体が近づいても余り入力インピーダンスは影響を受けない。
【００３４】
そこで、図７に使用状態を示すように、本実施の形態では、電荷（電圧）支配領域３１に相当する屈曲アンテナ１４をなるべく人体４０から離れるように下側ケース３側の面の基板１０の上側で、しかも指４２で持たれることがほとんどない左側に配置した。なお、使用状態では、図７で示すように指４２を下側ケース３側のヘリカルコイル１３の下方に沿わせるのが多い。
【００３５】
また、人体４０の耳４１が接触することが多い上側ケース２のスピーカ５側と屈曲アンテナ１４との間の上側ケース２側の基板１０上にアース板２０を設け、電荷（電圧）支配領域３１の電界を強制的にアース板２０に結合させ、電界の安定化を図っている。
【００３６】
また、図８は、本実施の形態の基板の実装可能部を示す図である。
図８Ａは下側ケース３側から基板面を見た下面、図８Ｂは下面の基板面の実装可能部、図８Ｃは上側ケース２側から基板面を見た上面、図８Ｄは上面の基板面の実装可能部を示す。
【００３７】
図８Ａにおいて示すように、基板１０の下面にはシールドケース１１から露出した上部先端部の右側に基板面に垂直にヘリカルアンテナ１３を配置し、左側に基板１０面から所定の距離を有するように所定の直線部及び屈曲部を有する屈曲アンテナ１４を配置したので、図８Ｂに示すように、ヘリカルアンテナ１３の実装部分以外の斜線部分が他の部品の実装可能部５０となる。このようにして、基板の下面における基板の実装可能面積を拡大することができる。
【００３８】
また、図８Ｃにおいて示すように、基板１０の上面には給電点２１のみが設けられるので、図８Ｄに示すように、給電点２１を除く斜線部分が他の部品の実装可能部５１となる。このようにして、基板の上面における基板の実装可能面積を拡大することができる。
【００３９】
また、基板１０の給電点２１の下部から基板１０に垂直に立ち上げられたヘリカルアンテナ１３の上部までの距離を、例えば支持体１５の高さよりも大きくすることで、支持体１５により屈曲アンテナ１４を基板１０に対して配置する際に、ヘリカルアンテナ１３の下部を給電点２１に対して弾性的に固定接触することができる。
【００４０】
また、ヘリカルアンテナ１３および屈曲アンテナ１４の構成は上述したものに限らず、以下に述べる構成を用いても良い。
図９は、本実施の形態の他のアンテナの構成を示す図である。図９Ａはヘリカルアンテナ６０を縦置き（基板の縦方向）にした構成、図９Ｂは屈曲アンテナ６２の直線部の折り返し部分を縦にした構成、図９Ｃは屈曲アンテナ６４の直線部の折り返し部分を左右に振り分けた構成、図９Ｄは屈曲アンテナ６６の直線部の折り返しをヘリカルにした構成をそれぞれ示す。
【００４１】
また、屈曲アンテナ１４の構成は上述したものに限らず、支持体１５により、１平面状に構成してもよく、多面的または曲面的にすることにより立体的に構成しても良い。これにより、所定の電気長である１／４λを得やすく基板上の他の実装部品から開放端２２を離すように任意に屈曲アンテナ１４を構成することができる。
【００４２】
上述した本実施の形態のアンテナは、基板１０上の給電部２３からの給電により空中に所定波長λに基づいた電波を放射する導電性のワイヤで構成されたアンテナであって、給電部２３からの給電による動作に基づいた、第１の動作領域をとしての電流支配領域３０を構成する第１のアンテナ部としてのヘリカルアンテナ１３と、第２の動作領域としての電荷支配領域３１を構成する第２のアンテナ部としての屈曲アンテナ１４とを備えたので、第１または第２の動作領域に応じて、人体接近時にアンテナのインピーダンスが影響を受けにくい領域と受けやすい領域とで第１および第２のアンテナ部とに分けて基板上に配置することにより、基板上のアンテナの実装面積を小さくし、しかも、人体接近時の影響を少なくすることができる。
【００４３】
また、本実施の形態のアンテナは、上述において、波長λに対して電気長が略１／４波長であって、第１のアンテナ部は給電部２３による基板１０上の給電点２１から略１／８波長部分までをヘリカルアンテナ１３とし、第２のアンテナ部は給電点２１の略１／８波長部分から開放端部２２までを伸延した直線部分または曲線部分を有する伸延アンテナとしての屈曲アンテナ１４とするので、給電点２１から１／８波長（λ）を境に、給電点２１に近い側は電流が支配的な領域となり、開放端２２に近い側が電荷が支配的な領域となるため、アンテナの入力インピーダンスは、１／８波長（λ）から開放端に近い側の電荷（電圧）支配領域部分に人体などが近づくと、電荷の値が大きいため、電界の乱れにより大きく影響を受けやすくなるが、１／８波長（λ）から給電点側の電流支配領域に、人体が近づいても余り入力インピーダンスは影響を受けないため、電荷（電圧）支配領域に相当する屈曲アンテナをなるべく人体から離れるように有効領域に配置することにより、基板上のアンテナの実装面積を小さくし、しかも、人体接近時の影響を少なくすることができる。
【００４４】
本実施の形態のアンテナは、上述において、伸延アンテナとしての屈曲アンテナ１４と対向する基板１０の裏側の面にアース板２０を配置したので、人体４０の耳４１が接触することが多い側と屈曲アンテナ１４との間の基板１０上にアース板２０を設け、電荷（電圧）支配領域の電界を強制的にアース板２０に結合させ、電界の安定化を図ることができる。
【００４５】
また、本実施の形態のアンテナは、上述において、ヘリカルアンテナ１３は下部の給電点２１から上部まで基板１０面に対して垂直に立ち上げるようにして設け、ヘリカルアンテナ１３の上部に連続して、給電点２１の略１／８波長部分から開放端部２２までの伸延アンテナを構成する面は基板１０面に対して所定の空間を有するように設けるので、人体接近時の影響を少なくすることに加えて、さらに、伸延アンテナを構成する面に対向する基板面を含んで、ヘリカルアンテナ１３の直径部分の実装部分以外の部分を他の部品の実装可能部５０とすることができ、基板の一方の面における基板の実装可能面積を拡大することができ、また、基板の他方の面には給電点２１のみが設けられるので、給電点２１を除く部分を他の部品の実装可能部５１とすることができ、基板の他方の面における基板の実装可能面積を拡大することができる。
【００４６】
また、本実施の形態のアンテナは、上述において、伸延アンテナは少なくとも接触または交差しない直線部および折り曲げ部を有する屈曲アンテナ１４とするので、アンテナの製造が簡単にでき、しかも、所定の電気長である１／４λを得やすく基板上の他の実装部品から開放端２２を離すように任意の構成にすることができる。
【００４７】
また、本実施の形態のアンテナは、上述において、ヘリカルアンテナ１３の上部を基板１０面に対して所定間隔を有するように設けることにより、ヘリカルアンテナ１３の下部は基板１０面の給電点２１に対して弾性的に固定されるので、基板１０の給電点２１の下部から基板１０に垂直に立ち上げられたヘリカルアンテナ１３の上部までの距離を大きくすることで基板１０に対して配置する際に、ヘリカルアンテナ１３の下部を給電点２１に対して弾性的に固定接触させて、簡易のコネクタの役割をさせることができる。
【００４８】
また、本実施の形態の携帯端末装置は、基板１０上の給電部２３からの給電により空中に所定波長に基づいた電波を放射する導電性のワイヤで構成されたアンテナを設けた携帯端末装置１であって、給電部２３からの給電による動作に基づいた、第１の動作領域としての電流支配領域３０を構成する第１のアンテナ部としてのヘリカルアンテナ１３と、第２の動作領域としての電荷支配領域３１を構成する第２のアンテナ部としての屈曲アンテナ１４とを備えたので、第１または第２の動作領域に応じて、人体接近時にアンテナのインピーダンスが影響を受けにくい領域と受けやすい領域とで第１および第２のアンテナ部とに分けて基板上に配置することにより、基板上のアンテナの実装面積を小さくし、しかも、人体接近時の影響を少なくすることができる。
【００４９】
また、本実施の形態の携帯端末装置は、上述において、波長λに対して電気長が略１／４波長であって、第１のアンテナ部は給電部２３による基板１０上の給電点２１から略１／８波長部分までをヘリカルアンテナ１３とし、第２のアンテナ部は給電点２１の略１／８波長部分から開放端部２２までを伸延した直線部分または曲線部分を有する伸延アンテナとしての屈曲アンテナ１４とするので、給電点２１から１／８波長（λ）を境に、給電点２１に近い側は電流が支配的な領域となり、開放端２２に近い側が電荷が支配的な領域となるため、アンテナの入力インピーダンスは、１／８波長（λ）から開放端に近い側の電荷（電圧）支配領域部分に人体などが近づくと、電荷の値が大きいため、電界の乱れにより大きく影響を受けやすくなるが、１／８波長（λ）から給電点側の電流支配領域に、人体が近づいても余り入力インピーダンスは影響を受けないため、電荷（電圧）支配領域に相当する屈曲アンテナ１４をなるべく人体から離れるように有効領域に配置することにより、基板上のアンテナの実装面積を小さくして基板の小型化を図ることができ、しかも、人体接近時の影響を少なくして利得変化を減少させることができる。
【００５０】
また、本実施の形態の携帯端末装置は、上述において、伸延アンテナとしての屈曲アンテナ１４と対向する基板１０の裏側の面にアース板２０を配置したので、人体４０の耳４１が接触することが多い側と屈曲アンテナ１４との間の基板１０上にアース板２０を設け、電荷（電圧）支配領域の電界を強制的にアース板２０に結合させ、電界の安定化を図ることができる。
【００５１】
また、本実施の形態の携帯端末装置は、上述において、ヘリカルアンテナ１３は下部の給電点２１から上部まで基板１０面に対して垂直に立ち上げるようにして設け、ヘリカルアンテナ１３の上部に連続して、給電点２１の略１／８波長部分から開放端部２２までの伸延アンテナとしての屈曲アンテナ１４を構成する面は基板１０面に対して所定の空間を有するように設けるので、人体接近時の影響を少なくすることに加えて、さらに、伸延アンテナを構成する面に対向する基板面を含んで、ヘリカルアンテナ１３の直径部分の実装部分以外の部分を他の部品の実装可能部５０とすることができ、基板の一方の面における基板の実装可能面積を拡大することができ、また、基板の他方の面には給電点２１のみが設けられるので、給電点２１を除く部分を他の部品の実装可能部５１とすることができ、基板の他方の面における基板の実装可能面積を拡大することができる。
【００５２】
また、本実施の形態の携帯端末装置は、上述において、伸延アンテナは少なくとも接触または交差しない直線部および折り曲げ部を有する屈曲アンテナ１４とするので、アンテナの製造が簡単にでき、しかも、所定の電気長である１／４λを得やすく基板上の他の実装部品から開放端２２を離すように任意の構成にすることができる。
【００５３】
また、本実施の形態の携帯端末装置は、上述において、ヘリカルアンテナ１３の上部を基板１０面に対して所定間隔を有するように設けることにより、ヘリカルアンテナ１３の下部は基板１０面の給電点２１に対して弾性的に固定されるので、基板１０の給電点２１の下部から基板１０に垂直に立ち上げられたヘリカルアンテナ１３の上部までの距離を大きくすることで基板１０に対して配置する際に、ヘリカルアンテナ１３の下部を給電点２１に対して弾性的に固定接触させて、簡易のコネクタの役割をさせてコネクタ等の電気部品を減少させることができる。
【００５４】
【発明の効果】
この発明のアンテナは、基板上の給電部からの給電により空中に所定波長に基づいた電波を放射する導電性のワイヤで構成されたアンテナであって、上記給電部からの給電による動作に基づいた、第１の動作領域を構成する第１のアンテナ部と、第２の動作領域を構成する第２のアンテナ部とを備えたので、第１または第２の動作領域に応じて、人体接近時にアンテナのインピーダンスが影響を受けにくい領域と受けやすい領域とで第１および第２のアンテナ部とに分けて基板上に配置することにより、基板上のアンテナの実装面積を小さくし、しかも、人体接近時の影響を少なくすることができるという効果を奏する。
【００５５】
また、この発明のアンテナは、上述において、上記波長に対して電気長が略１／４波長であって、上記第１のアンテナ部は上記給電部による上記基板上の給電点から略１／８波長部分までをヘリカルアンテナとし、上記第２のアンテナ部は上記給電点の略１／８波長部分から開放端部までを伸延した直線部分または曲線部分を有する伸延アンテナとするので、給電点から１／８波長（λ）を境に、給電点に近い側は電流が支配的な領域となり、開放端に近い側が電荷が支配的な領域となるため、アンテナの入力インピーダンスは、１／８波長（λ）から開放端に近い側の電荷（電圧）支配領域部分に人体などが近づくと、電荷の値が大きいため、電界の乱れにより大きく影響を受けやすくなるが、１／８波長（λ）から給電点側の電流支配領域に、人体が近づいても余り入力インピーダンスは影響を受けないため、電荷（電圧）支配領域に相当する屈曲アンテナをなるべく人体から離れるように有効領域に配置することにより、基板上のアンテナの実装面積を小さくし、しかも、人体接近時の影響を少なくすることができるという効果を奏する。
【００５６】
また、この発明のアンテナは、上述において、上記伸延アンテナと対向する上記基板の裏側の面にアース板を配置したので、人体の耳が接触することが多い側と屈曲アンテナとの間の基板上にアース板を設け、電荷（電圧）支配領域の電界を強制的にアース板に結合させ、電界の安定化を図ることができるという効果を奏する。
【００５７】
また、この発明のアンテナは、上述において、上記ヘリカルアンテナは下部の上記給電点から上部まで上記基板面に対して垂直に立ち上げるようにして設け、上記ヘリカルアンテナの上部に連続して、上記給電点の略１／８波長部分から開放端部までの上記伸延アンテナを構成する面は上記基板面に対して所定の空間を有するように設けるので、人体接近時の影響を少なくすることに加えて、さらに、伸延アンテナを構成する面に対向する基板面を含んで、ヘリカルアンテナの直径部分の実装部分以外の部分を他の部品の実装可能部とすることができ、基板の一方の面における基板の実装可能面積を拡大することができ、また、基板の他方の面には給電点のみが設けられるので、給電点を除く部分を他の部品の実装可能部とすることができ、基板の他方の面における基板の実装可能面積を拡大することができるという効果を奏する。
【００５８】
また、この発明のアンテナは、上述において、上記伸延アンテナは少なくとも接触または交差しない直線部および折り曲げ部を有する屈曲アンテナとするので、アンテナの製造が簡単にでき、しかも、所定の電気長を得やすく基板上の他の実装部品から開放端を離すように任意の構成にすることができるという効果を奏する。
【００５９】
また、この発明のアンテナは、上述において、上記ヘリカルアンテナの上部を上記基板面に対して所定間隔を有するように設けることにより、上記ヘリカルアンテナの下部は上記基板面の上記給電点に対して弾性的に固定されるので、基板の給電点の下部から基板に垂直に立ち上げられたヘリカルアンテナの上部までの距離を大きくすることで基板に対して配置する際に、ヘリカルアンテナの下部を給電点に対して弾性的に固定接触させて、簡易のコネクタの役割をさせることができるという効果を奏する。
【００６０】
また、この発明の携帯端末装置は、基板上の給電部からの給電により空中に所定波長に基づいた電波を放射する導電性のワイヤで構成されたアンテナを設けた携帯端末装置であって、上記給電部からの給電による動作に基づいた、第１の動作領域を構成する第１のアンテナ部と、第２の動作領域を構成する第２のアンテナ部とを備えたので、第１または第２の動作領域に応じて、人体接近時にアンテナのインピーダンスが影響を受けにくい領域と受けやすい領域とで第１および第２のアンテナ部とに分けて基板上に配置することにより、基板上のアンテナの実装面積を小さくし、しかも、人体接近時の影響を少なくすることができるという効果を奏する。
【００６１】
また、この発明の携帯端末装置は、上述において、上記波長に対して電気長が略１／４波長であって、上記第１のアンテナ部は上記給電部による上記基板上の給電点から略１／８波長部分までをヘリカルアンテナとし、上記第２のアンテナ部は上記給電点の略１／８波長部分から開放端部までを伸延した直線部分または曲線部分を有する伸延アンテナとするので、給電点から１／８波長（λ）を境に、給電点に近い側は電流が支配的な領域となり、開放端に近い側が電荷が支配的な領域となるため、アンテナの入力インピーダンスは、１／８波長（λ）から開放端に近い側の電荷（電圧）支配領域部分に人体などが近づくと、電荷の値が大きいため、電界の乱れにより大きく影響を受けやすくなるが、１／８波長（λ）から給電点側の電流支配領域に、人体が近づいても余り入力インピーダンスは影響を受けないため、電荷（電圧）支配領域に相当する屈曲アンテナをなるべく人体から離れるように有効領域に配置することにより、基板上のアンテナの実装面積を小さくして基板の小型化を図ることができ、しかも、人体接近時の影響を少なくして利得変化を減少させることができるという効果を奏する。
【００６２】
また、この発明の携帯端末装置は、上述において、上記伸延アンテナと対向する上記基板の裏側の面にアース板を配置したので、人体の耳が接触することが多い側と屈曲アンテナとの間の基板上にアース板を設け、電荷（電圧）支配領域の電界を強制的にアース板に結合させ、電界の安定化を図ることができるという効果を奏する。
【００６３】
また、この発明の携帯端末装置は、上述において、上記ヘリカルアンテナは下部の上記給電点から上部まで上記基板面に対して垂直に立ち上げるようにして設け、上記ヘリカルアンテナの上部に連続して、上記給電点の略１／８波長部分から開放端部までの上記伸延アンテナを構成する面は上記基板面に対して所定の空間を有するように設けるので、人体接近時の影響を少なくすることに加えて、伸延アンテナを構成する面に対向する基板面を含んで、ヘリカルアンテナの直径部分の実装部分以外の部分を他の部品の実装可能部とすることができ、基板の一方の面における基板の実装可能面積を拡大することができ、また、基板の他方の面には給電点のみが設けられるので、給電点を除く部分を他の部品の実装可能部とすることができ、基板の他方の面における基板の実装可能面積を拡大することができるという効果を奏する。
【００６４】
また、この発明の携帯端末装置は、上述において、上記伸延アンテナは少なくとも接触または交差しない直線部および折り曲げ部を有する屈曲アンテナとするので、アンテナの製造が簡単にでき、しかも、所定の電気長を得やすく基板上の他の実装部品から開放端を離すように任意の構成にすることができるという効果を奏する。
【００６５】
また、この発明の携帯端末装置は、上述において、上記ヘリカルアンテナの上部を上記基板面に対して所定間隔を有するように設けることにより、上記ヘリカルアンテナの下部は上記基板面の上記給電点に対して弾性的に固定されるので、基板の給電点の下部から基板に垂直に立ち上げられたヘリカルアンテナの上部までの距離を大きくすることで基板に対して配置する際に、ヘリカルアンテナの下部を給電点に対して弾性的に固定接触させて、簡易のコネクタの役割をさせてコネクタ等の電気部品を減少させることができるという効果を奏する。
【図面の簡単な説明】
【図１】本実施の形態の携帯端末装置の外観斜視図である。
【図２】本実施の形態の携帯端末装置の内部構成を示す分解斜視図である。
【図３】本実施の形態の携帯端末装置の構成を示す側面図であり、図３Ａは外観、図３Ｂは内部である。
【図４】本実施の形態のアンテナの構成を示す一部拡大斜視図である。
【図５】本実施の形態のアンテナの動作を示す図である。
【図６】本実施の形態の基板上のアンテナの動作を示す図である。
【図７】本実施の形態の使用状態を示す図である。
【図８】本実施の形態の基板の実装可能部を示す図であり、図８Ａは下面のアンテナの配置、図８Ｂは下面の実装可能部、図８Ｃは上面の給電点、図８Ｄは上面の実装可能部である。
【図９】本実施の形態の他のアンテナの構成を示す図である。
【図１０】従来のアンテナの構成を示す図である。
【符号の説明】
１…携帯端末装置、２…上側ケース、３…下側ケース、４…アンテナ、５…スピーカ、６…表示部、７…入力キー、８…マイクロフォン、１０…基板、１１…シールドケース、１２…アンテナ、１３…ヘリカルアンテナ、１４…屈曲アンテナ、１５…支持体、２０…アース板、２１…給電点、２２…開放端、２３…給電部、３０…電流支配領域、３１…電荷支配領域、４０…人体、４１…耳、４２…指、
【図１】
0003982098.tif 000002
【図２】
0003982098.tif 000003
【図３】
0003982098.tif 000004
【図４】
0003982098.tif 000005
【図５】
0003982098.tif 000006
【図６】
0003982098.tif 000007
【図７】
0003982098.tif 000008
【図８】
0003982098.tif 000009
【図９】
0003982098.tif 000010
【図１０】
0003982098.tif 000011